(57)【要約】【課題】衝撃緩衝機能を有する構造簡易な樹脂製緩衝マットの提供。【解決手段】床上あるいは運動場等に敷設される平坦な基板２と、該基板上に複数個配置された接触部３と、該接触部と上記基板との間に形成された蛇腹状緩衝部５とからなり、上記基板、上記接触部及び上記蛇腹状緩衝部は樹脂にて一体成形されてなり、上記接触部に人体等から圧力が加わったとき上記蛇腹状緩衝部にてこれを吸収緩和する。【選択図】　　　　図１
2004124417.tif 000002
【特許請求の範囲】
【請求項１】
床上あるいは運動場等に敷設される樹脂製緩衝マットにおいて、平坦な基板と、該基板上に複数個配置された接触部と、該接触部と上記基板との間に形成された蛇腹状緩衝部とからなり、上記基板、上記接触部及び上記蛇腹状緩衝部は樹脂にて一体成形されてなり、上記接触部に人体等から圧力が加わったとき上記蛇腹状緩衝部にてこれを吸収緩和することを特徴とする樹脂製緩衝マット。
【請求項２】
上記基板は矩形状平板よりなり、上記接触部は上記基板面より高い円形平面を有し、上記蛇腹状緩衝部は上記接触部の周囲に同心円状に形成され、該蛇腹緩衝部の外側にマット敷設面に接する支持部が形成されてなる請求項１記載の樹脂製緩衝マット。
【請求項３】
上記蛇腹状緩衝部の谷部に雨水等が通過する水抜き孔が形成されてなる請求項２記載の樹脂製緩衝マット。
【発明の詳細な説明】
【０００１】
【発明の属する技術分野】
本発明は、床、ベランダ、運動場、公園等に敷設されて、幼児等の体を保護する樹脂製緩衝マットに関する。
【０００２】
【従来の技術】
従来、室内の床面、ベランダあるいは運動場等に敷設されて幼児を保護する衝撃緩衝構造を有するマットが提案されている（例えば、特許文献１）。
【０００３】
【特許文献１】
特開平１１−６２２００号公報
【０００４】
上記特許文献１には、床敷用マットの上面に平面的に複数の上下方向に弾性浮動可能な浮動支承部及び中空のドーム状支承部を設けた構造が開示され、これらが衝撃吸収作用を有する旨記載されている。
【０００５】
【発明が解決しようとする課題】
上記公報に開示のマットにあっては、浮動支承部及び中空のドーム状支承部を支持する支持部が別途設けられ、これらはきわめて複雑な構造を有している。
本発明は、きわめて簡単な構造で緩衝機能を有する樹脂製緩衝マットを提供するものである。
【０００６】
【課題を解決するための手段】
本発明（請求項１）は、床上あるいは運動場等に敷設される樹脂製緩衝マットにおいて、平坦な基板と、該基板上に複数個配置された接触部と、該接触部と上記基板との間に形成された蛇腹状緩衝部とからなり、上記基板、上記接触部及び上記蛇腹状緩衝部は樹脂にて一体成形されてなり、上記接触部に人体等から圧力が加わったとき上記蛇腹状緩衝部にてこれを吸収緩和するものである。
【０００７】
かかる構成において、接触部が児童等の足にて踏まれ、あるいは児童等がころんでこれに衝撃が加わったとき、その圧力により蛇腹状緩衝部が圧縮変形して衝撃を吸収する。蛇腹状緩衝部は主として上下方向に弾性変形するが、水平方向の圧力に対しても緩衝機能を有する。
【０００８】
本発明（請求項２）にかかる樹脂製緩衝マットにおいて、上記基板は矩形状平板よりなり、上記接触部は上記基板面より高い円形平面を有し、上記蛇腹状緩衝部は上記接触部の周囲に同心円状に形成され、該蛇腹緩衝部の外側にマット敷設面に接する支持部が形成されてなるものである。かかる構成において、幼児等の足あるいは転んだときの体の一部は接触部の円形表面に接触し、これを押圧する。この押し圧力は蛇腹状緩衝部にて吸収される。接触部及び蛇腹状緩衝部は支持部にて敷設面に支持される。基板自体は変形しない。
【０００９】
本発明（請求項３）にかかる樹脂製緩衝マットにおいて、上記蛇腹状緩衝部の谷部に雨水等が通過する水抜き孔が形成されてなるものである。かかる構成において、マットが浴室あるいは屋外に敷設された場合、湯船からの湯あるいは雨水は上記水抜き孔を介して敷設面に流れ、既存の排水設備により排水される。
【００１０】
【発明の実施の形態】
以下、本発明の実施態様を図面に基づき説明する。１はポリエチレン樹脂などを材料として射出成形により一体成形された平面矩形状の樹脂製緩衝マットである。２は該緩衝マット１を床上あるいは運動場等に敷設する際に設置座部となる平坦な基板で、一辺が例えば３０ｃｍ平方の基板２に形成されている。基板２は所定厚みに形成され強度が充分で、設置後に変形などが起きないものである。
【００１１】
３はこの基板上に配置された複数個の接触部で、幼児等の足で踏まれたり、幼児が転んだりしたときに体の一部が接触する部分となっている。接触部３は基板面より高く突出した円形平面４の上面を有した円形台状に形成されている。ここでマット１には、上記３０ｃｍ平方の基板２に１６個（４×４）の接触部３を形成することができる。また接触部３の円形平面４は直径４０ｍｍとすることができる。
【００１２】
５は接触部３と基板２との間に形成された蛇腹状緩衝部で、１つの山部７ａとこれらを挟む２つの谷部７ｂ，７ｂよりなる。該蛇腹状緩衝部５は、接触部３の周囲に複数同心状に形成されている。上記接触部３に加わった人体等からの衝撃は、この蛇腹状緩衝部５の弾性変形にて吸収されるようになっている。
【００１３】
また上記蛇腹状緩衝部は５は、図７に示す他の実施形態のように、接触部３の周囲に一重だけ形成した構成のものとすることもできる。
【００１４】
６は、雨水等がマット１上面に溜まらないように、蛇腹状緩衝部５の２つの谷部７ａ，７ｂにそれぞれ形成した水抜き孔である。この緩衝マット１は幼児の遊技場など屋外の他、浴室に設置して使用することも可能で、この場合には、湯船から流れ出た湯は水抜き孔６から、浴室内の排水設備より排水される。勿論、地面に設置した場合も、マット１に降った雨水は、水抜き孔６から地面に流れ出て、マット１上面に溜まったりしない。なお、図７に示す一重の緩衝部５の場合には、谷部７ｃは１つなので、この１つの谷部７ｃのどこか１箇所に水抜き孔６を設ければよい。
【００１５】
８は緩衝部５の外側に凸縁状に形成された支持部で、基板２の下面に緩衝部５の周囲をかこんで矩形状に形成されている。この支持部８が地面や浴室の室面などマット敷設面に均一に接して、基板２及び緩衝部５と敷設面との間に一定間隔を保持し、かつ緩衝マット１が動かないように設置される。
【００１６】
９は、複数個の緩衝マット１を横に平面状に連結して、より大きい緩衝マットとすることができるように、マット１の周囲に設けられたつめ部であり、１０はそのつめ部９と係合する受け部である。つめ部７及び受け部１０は、各辺ごとに交互に形成されている。図３および図６に示すように、隣接するマット１において、マット１のつめ部９を、相手側マット１の受け部１０の受け口１１に差し込んで嵌合させれば、つめ部９が受け部１０の口縁に係止し連結される。これにより、複数のマット１が隣接配置されて、両者（つめ部９と受け部１０）係合することにより連結され、より大きな正方形状、あるいは長方形状など所望の形の緩衝マット１を得ることができる。
【００１７】
かかる構成の緩衝マット１は、公園、運動場においてブランコ設置場所等のように地面が削り取られて、窪みができ雨水が溜まる等の問題が発生する場所に敷設して有益である。地面に固定する場合、マット１裏面に楔状のアンカー（図示せず）を一体形成し、これを地面に突き刺す構造とすることができる。
【００１８】
このほか浴室、ベランダ等にも敷設できる。緩衝マット１０は幼児の遊戯場に敷設して、転んだときの衝撃を緩和する作用を有する。すなわち幼児が転んでも緩衝マット１上面の複数個配置せる接触部３にて痛みを感じず、怪我も少なくなる。またマット１を踏んだりしても、蛇腹状緩衝部５が弾性変形し圧力を分散するなどし、クッション作用があるため歩行時足に加わる負担が軽減される。歩き心地もよいものとなる。
【００１９】
【発明の効果】
以上のように、本発明（請求項１）によれば、床上あるいは運動場等に敷設される平坦な基板と、該基板上に複数個配置された接触部と、該接触部と上記基板との間に形成された蛇腹状緩衝部とからなる樹脂にて一体成形された緩衝マットであるから、幼児などが転んで上記接触部に人体等から圧力が加わったとき上記蛇腹状緩衝部にてこれを吸収緩和することができる。これにより幼児等の体を保護することができ、安全に遊ぶことができる。
【００２０】
本発明（請求項２）によれば、緩衝マットは矩形状基板の上に基板面より高く突出した複数個の上面が円形な平面の接触部を有し、この接触部の周囲に同心円状に形成された蛇腹緩衝部を有した構成であるから、幼児などが転んでも接触部は円形表面で角がないので痛くなく、また怪我したりする危険性はない。そして蛇腹状緩衝部にて、接触部に当たったときの衝撃も吸収緩和され、クッションが効いて安全である。マット自体はその周囲の支持部でもって、敷設面に緊密に当接し安定に設置される。
【００２１】
また本発明（請求項３）によれば、緩衝マットにはその蛇腹状緩衝部の谷部に水抜き孔が設けられているので、屋外に設置し雨水にさらされたり、また浴室で使用し湯水がかかったりしても、水向き孔から排水されてマットに水が溜まった状態にはならなくなる。これにより、天気回復後の早期使用が可能になり、また浴室で滑ったりするなどの心配はなくなり、安全で使い勝手性が良いものとなる。
【図面の簡単な説明】
【図１】本発明に実施の形態に係る樹脂製緩衝マットを示す斜視図である。
【図２】上記図１における樹脂製緩衝マットのＡ−Ａ断面図である。
【図３】樹脂製マットの周囲に他のマットとの連結のために設けられているつめ部と受け部とを示す断面図である。
【図４】上記図３におけるつめ部と受け部とを示す平面図である。
【図５】樹脂製マットの周囲に他のマットとの連結のために設けられているつめ部と受け部との連結状態を示す断面図である。
【図６】上記図５におけるつめ部と受け部との連結状態を示す平面図である。
【図７】接触部の周囲に一重の蛇腹状緩衝部が設けられている本発明の他の実施形態に係る樹脂製緩衝マットの断面図である。
【符号の説明】
１　蛇腹状緩衝マット
２　基板
３　接触部
５　蛇腹状緩衝部
６　水抜き孔
７ａ，７ｂ，７ｃ　谷部
８　支持部
９　つめ部
１０　受け部
【図１】
2004124417.tif 000003
【図２】
2004124417.tif 000004
【図３】
2004124417.tif 000005
【図４】
2004124417.tif 000006
【図５】
2004124417.tif 000007
【図６】
2004124417.tif 000008
【図７】
2004124417.tif 000009